(57)【要約】【課題】直下型バックライトユニットを採用する液晶表示装置において、液晶表示素子の表示面に生じる輝度ムラを低減する。【解決手段】液晶表示素子に照射光を照射する複数の冷陰極蛍光灯と、前記複数の冷陰極蛍光灯の前記液晶表示素子側と反対の側に配置される反射部材とを有し、前記反射部材は、前記複数の冷陰極蛍光灯間に位置する領域に突起部を有し、前記突起部は、前記複数の冷陰極蛍光灯の延長方向と直交する面で切断したときの断面形状が三角形形状であり、前記反射部材と前記光学部材との間の距離をＤとするとき、１０ｍｍ＜Ｄ＜２０ｍｍを満足し、前記複数の冷陰極蛍光灯の中心部間の距離をＬ、前記反射部材から前記複数の冷陰極蛍光灯の中心部までの距離をｄ１、前記突起部の高さをｈ、前記突起部の前記複数の冷陰極蛍光灯側に突出する二辺で挟まれる狭角の角度をθとするとき、ｈ≧ｄ１、ｔａｎ−１（２（ｈ＋ｄ１）／Ｌ）≧９０°−θを満足する。【選択図】図４
2006259750.tif 000002
【特許請求の範囲】
【請求項１】
互いに対向して配置される２枚の基板と、前記２枚の基板間に挟持される液晶層とを有する液晶表示素子と、
前記液晶表示素子の表示面と反対の側に配置され、前記液晶表示素子に照射光を照射する複数の冷陰極蛍光灯と、
前記液晶表示素子と前記複数の冷陰極蛍光灯との間に配置される光学部材と、
前記複数の冷陰極蛍光灯の前記液晶表示素子側と反対の側に配置される反射部材とを有する液晶表示装置であって、
前記反射部材は、前記複数の冷陰極蛍光灯間に位置する領域に、前記複数の冷陰極蛍光灯側に突出し、かつ、前記複数の冷陰極蛍光灯の延長方向に沿って設けられる突起部を有し、
前記突起部は、前記複数の冷陰極蛍光灯の延長方向と直交する面で切断したときの断面形状が三角形形状であり、
前記反射部材と前記光学部材との間の距離をＤとするとき、１０ｍｍ＜Ｄ＜２０ｍｍを満足し、
前記複数の冷陰極蛍光灯の中心部間の距離をＬ、前記反射部材から前記複数の冷陰極蛍光灯の中心部までの距離をｄ１、前記突起部の高さをｈ、前記突起部の前記複数の冷陰極蛍光灯側に突出する二辺で挟まれる狭角の角度をθとするとき、ｈ≧ｄ１、ｔａｎ−１（２（ｈ＋ｄ１）／Ｌ）≧９０°−θを満足することを特徴とする液晶表示装置。
【請求項２】
前記突起部の前記断面形状は、前記突起部の前記複数の冷陰極蛍光灯側に突出する二辺が同じ長さの２等辺三角形形状であることを特徴とする請求項１に記載の液晶表示装置。
【請求項３】
前記突起部の前記複数の冷陰極蛍光灯側に突出する二辺が交差する頂点は、前記複数の冷陰極蛍光灯の中心部間の中間部に位置することを特徴とする請求項２に記載の液晶表示装置。
【請求項４】
前記光学部材は、輝度を均一化するためのパターンが印刷された拡散板を含むことを特徴とする請求項１に記載の液晶表示装置。
【請求項５】
前記突起部の前記断面形状は、頂点が丸みを有する三角形形状であることを特徴とする請求項１に記載の液晶表示装置。
【請求項６】
互いに対向して配置される２枚の基板と、前記２枚の基板間に挟持される液晶層とを有する液晶表示素子と、
前記液晶表示素子の表示面と反対の側に配置され、前記液晶表示素子に照射光を照射する複数の光源と、
前記複数の光源の前記液晶表示素子側と反対の側に配置される反射部材とを有する液晶表示装置であって、
前記反射部材は、前記複数の光源間に位置する領域に、前記複数の光源側に突出し、かつ、前記複数の光源の延長方向に沿って設けられる突起部を有し、
前記突起部は、変形防止手段を有し、
前記変形防止手段は、前記突起部の前記複数の光源側に突出する二辺の間に、複数の光源の延長方向と直交する方向に設けられる複数の薄板であることを特徴とする液晶表示装置。
【請求項７】
互いに対向して配置される２枚の基板と、前記２枚の基板間に挟持される液晶層とを有する液晶表示素子と、
前記液晶表示素子の表示面と反対の側に配置され、前記液晶表示素子に照射光を照射する複数の光源と、
前記複数の光源の前記液晶表示素子側と反対の側に配置される反射部材とを有する液晶表示装置であって、
前記反射部材は、前記複数の光源間に位置する領域に、前記複数の光源側に突出し、かつ、前記複数の光源の延長方向に沿って設けられる突起部を有し、
前記突起部は、変形防止手段を有し、
前記変形防止手段は、前記突起部の前記複数の光源側に突出する二辺が交差する頂点部に設けられる切り欠きであることを特徴とする液晶表示装置。
【請求項８】
前記反射部材は、合成樹脂で構成されることを特徴とする請求項６または請求項７に記載の液晶表示装置。
【請求項９】
互いに対向して配置される２枚の基板と、前記２枚の基板間に挟持される液晶層とを有する液晶表示素子と、
前記液晶表示素子の表示面と反対の側に配置され、前記液晶表示素子に照射光を照射する複数の冷陰極蛍光灯と、
前記液晶表示素子と前記複数の冷陰極蛍光灯との間に配置される光学部材と、
前記複数の冷陰極蛍光灯の前記液晶表示素子側と反対の側に配置される反射部材とを有する液晶表示装置であって、
前記反射部材は、前記複数の冷陰極蛍光灯間に位置する領域に、前記複数の冷陰極蛍光灯側に突出し、かつ、前記複数の冷陰極蛍光灯の延長方向に沿って設けられる突起部を有し、
前記突起部は、変形防止手段を有するとともに、前記複数の冷陰極蛍光灯の延長方向と直交する面で切断したときの断面形状が三角形形状であり、
前記反射部材と前記光学部材との間の距離をＤとするとき、１０ｍｍ＜Ｄ＜２０ｍｍを満足し、
前記複数の冷陰極蛍光灯の中心部間の距離をＬ、前記反射部材から前記複数の冷陰極蛍光灯の中心部までの距離をｄ１、前記突起部の高さをｈ、前記突起部の前記複数の冷陰極蛍光灯側に突出する二辺で挟まれる狭角の角度をθとするとき、ｈ≧ｄ１、ｔａｎ−１（２（ｈ＋ｄ１）／Ｌ）≧９０°−θを満足することを特徴とする液晶表示装置。
【請求項１０】
前記突起部の前記断面形状は、前記突起部の前記複数の冷陰極蛍光灯側に突出する二辺が同じ長さの２等辺三角形形状であることを特徴とする請求項９に記載の液晶表示装置。
【請求項１１】
前記突起部の前記複数の冷陰極蛍光灯側に突出する二辺が交差する頂点は、前記複数の冷陰極蛍光灯の中心部間の中間部に位置することを特徴とする請求項９に記載の液晶表示装置。
【請求項１２】
前記光学部材は、輝度を均一化するためのパターンが印刷された拡散板を含むことを特徴とする請求項９に記載の液晶表示装置。
【請求項１３】
前記変形防止手段は、前記突起部の前記複数の冷陰極蛍光灯側に突出する二辺の間に、複数の冷陰極蛍光灯の延長方向と直交する方向に設けられる複数の薄板であることを特徴とする請求項９に記載の液晶表示装置。
【請求項１４】
前記変形防止手段は、前記突起部の前記複数の冷陰極蛍光灯側に突出する二辺が交差する頂点部に設けられる切り欠きであることを特徴とする請求項９に記載の液晶表示装置。
【請求項１５】
前記反射部材は、合成樹脂で構成されることを特徴とする請求項９に記載の液晶表示装置。
【発明の詳細な説明】
【技術分野】
【０００１】
本発明は、パーソナルコンピュータ、ワークステーション等に用いられる液晶表示装置に係わり、特に、液晶表示装置に用いられる直下型バックライトユニットに適用して有効な技術に関する。
【背景技術】
【０００２】
ＳＴＮ（Super Twisted Nematic）方式、あるいはＴＦＴ（Thin Film Transister）の液晶表示モジュールは、ノート型パソコン等の表示装置として広く使用されている。
これらの液晶表示モジュールは、周囲にドレインドライバおよびゲートドライバが配置された液晶表示パネルと、当該液晶表示パネルを照射するバックライトユニットとで構成される。
このバックライトユニットは、サイドライト型のバックライトユニットと、直下型のバックライトユニットに大別される。
ノート型パソコン液晶表示モジュールの表示装置として使用される液晶表示モジュールの場合は、主にサイドライト型のバックライトユニットが採用されている。
近年、液晶表示モジュールは大型化、大画面化され、モニタ用の表示装置としても使用されており、このような大型、大画面のモニタ用液晶表示モジュールでは、高輝度が得られる直下型のバックライトユニットが適している。
なお、直下型のバックライトユニットを採用した液晶表示モジュールは、例えば、下記特許文献１に記載されている。
【０００３】
なお、本願発明に関連する先行技術文献としては以下のものがある。
【特許文献１】特開平５−２５７１４１号公報
【発明の開示】
【発明が解決しようとする課題】
【０００４】
直下型バックライトユニットでは、複数の光源（冷陰極蛍光灯）を有するとともに、複数の光源から照射された光が入射される拡散板を含む光学部材と、複数の光源から液晶表示パネルと反対の側に照射された光を、液晶表示パネル側に反射する反射面を有するリフレクタ（反射部材）とを備えている。
一方、近年、大画面のモニタ用液晶表示モジュールでは、ノート用液晶表示モジュールと同様に薄型化、狭額縁化の要求が強まってきている。
しかしながら、大画面のモニタ用液晶表示モジュールの薄型化のために、直下型バックライトを薄型化、即ち、光学部材とリフレクタとの間の距離を短くすると、各光源から照射される光で、光学部材の各光源間に位置する領域に入射される光量が減少する。
このため、液晶表示パネルの表面上の各光源間の領域の輝度が、液晶表示パネルの表面上の各光源の直上部に位置する領域の輝度に比して小さくなり、液晶表示パネルの表示面に輝度ムラが生じるという問題点があった。
【０００５】
これを防止し、液晶表示パネルの表示面上の輝度の均一化を図るためには、ライトカーテン（例えば、光学部材の拡散板へのドットパターン印刷）を用いる必要があるが、ライトカーテンは、ピーク輝度を下げることで、輝度の均一化を図っているため、輝度の低下をもたらすという欠点があった。
また、各光源の位置と、ライトカーテンを構成する各ドットパターンとの位置の合わせ精度等製造ばらつきにより輝度の均一化が不十分になるという欠点もあった。
本発明は、前記従来技術の問題点を解決するためになされたものであり、本発明の目的は、直下型バックライトユニットを採用する液晶表示装置において、液晶表示素子の表示面に生じる輝度ムラを低減することが可能となる技術を提供することにある。
本発明の前記ならびにその他の目的と新規な特徴は、本明細書の記述及び添付図面によって明らかにする。
【課題を解決するための手段】
【０００６】
本願において開示される発明のうち、代表的なものの概要を簡単に説明すれば、下記の通りである。
即ち、本発明は、互いに対向して配置される２枚の基板と、前記２枚の基板間に挟持される液晶層とを有する液晶表示素子と、前記液晶表示素子の表示面と反対の側に配置され、前記液晶表示素子に照射光を照射する複数の光源と、前記液晶表示素子と前記複数の光源との間に配置される光学部材と、前記複数の光源の前記液晶表示素子側と反対の側に配置される反射部材とを有する液晶表示装置であって、前記反射部材は、前記複数の光源間に位置する領域に、前記複数の光源側に突出し、かつ、前記複数の光源の延長方向に沿って設けられる突起部を有し、前記突起部は、前記複数の光源の延長方向と直交する面で切断したときの断面形状が三角形形状であり、前記複数の光源の中心部間の距離をＬ、前記反射部材から前記複数の光源の中心部までの距離をｄ１、前記突起部の高さをｈ、前記突起部の前記複数の光源側に突出する二辺で挟まれる狭角の角度をθとするとき、ｈ≧ｄ１、ｔａｎ-1（２（ｈ＋ｄ１）／Ｌ）≧９０°−θを満足することを特徴とする。
【０００７】
本発明の好ましい実施の形態では、前記突起部の前記断面形状は、前記突起部の前記複数の光源側に突出する二辺が同じ長さの２等辺三角形形状であることを特徴とする。
本発明の好ましい実施の形態では、前記突起部の前記断面形状は、頂点が丸みを有する三角形形状であることを特徴とする。
本発明の好ましい実施の形態では、前記突起部の前記複数の光源側に突出する二辺が交差する頂点は、前記複数の光源の中心部間の中間部に位置することを特徴とする。
本発明の好ましい実施の形態では、前記反射部材と前記光学部材との間の距離をＤとするとき、１０ｍｍ＜Ｄ＜２０ｍｍを満足することを特徴とする。
本発明の好ましい実施の形態では、前記光学部材は、輝度を均一化するためのパターンが印刷された拡散板を含むことを特徴とする。
【０００８】
本発明の好ましい実施の形態では、前記突起部は、変形防止手段を有することを特徴とする。
本発明の好ましい実施の形態では、前記変形防止手段は、前記突起部の前記複数の光源側に突出する二辺の間に、複数の光源の延長方向と直交する方向に設けられる複数の薄板であることを特徴とする。
本発明の好ましい実施の形態では、前記変形防止手段は、前記突起部の前記複数の光源側に突出する二辺が交差する頂点部に設けられる切り欠きであることを特徴とする。
本発明の好ましい実施の形態では、前記反射部材は、合成樹脂で構成されることを特徴とする。
【０００９】
前述の手段によれば、直下型バックライトユニットにおける反射部材の各光源間の領域に、三角形形状の反射用の突起部を設け、各光源から反射部材側に照射される光を、効率的に、光学部材の各光源間の領域に入射するようにしたので、液晶表示素子の表示面に生じる輝度ムラを従来の液晶表示装置よりも低減することが可能となる。
さらに、この三角形形状の突起部に変形防止手段を設けるようにしたので、反射部材の変形を防止し、強度を高めることが可能となる。
【発明の効果】
【００１０】
本願において開示される発明のうち代表的なものによって得られる効果を簡単に説明すれば、下記の通りである。
（１）本発明によれば、直下型バックライトユニットを採用する液晶表示装置において、液晶表示素子の表示面に生じる輝度ムラを低減することが可能となる。
（２）本発明によれば、直下型バックライトユニットを採用する液晶表示装置において、反射部材の変形を防止し、強度を高めることが可能となる。
【発明を実施するための最良の形態】
【００１１】
以下、図面を参照して本発明の実施例を詳細に説明する。
なお、実施例を説明するための全図において、同一機能を有するものは同一符号を付け、その繰り返しの説明は省略する。
［実施例１］
〈本実施例のＴＦＴ方式の液晶表示モジュールの基本構成〉
図１は、本実施例のＴＦＴ方式の液晶表示モジュール（ＬＣＭ）の概略構成を示す分解斜視図である。
本実施例の液晶表示モジュール（ＬＣＭ）は、金属板から成る枠状の上フレーム４、液晶表示パネル（ＬＣＤ；本発明の液晶表示素子）５、直下型バックライトユニットとから構成される。
液晶表示パネル５は、画素電極、薄膜トランジスタ等が形成されるＴＦＴ基板と、対向電極、カラーフィルタ等が形成されるフィルタ基板とを、所定の間隙を隔てて重ね合わせ、該両基板間の周縁部近傍に枠状に設けたシール材により、両基板を貼り合わせると共に、シール材の一部に設けた液晶封入口から両基板間のシール材の内側に液晶を封入、封止し、さらに、両基板の外側に偏光板を貼り付けて構成される。
【００１２】
ここで、ＴＦＴ基板のガラス基板上には、半導体集積回路装置（ＩＣ）で構成される複数のドレインドライバおよびゲートドライバが搭載されている。
このドレインドライバには、フレキシブルプリント配線基板１を介して、駆動電源、表示データおよび制御信号が供給され、ゲートドライバには、フレキシブルプリント配線基板１を介して、駆動電源および制御信号が供給される。
フレキシブルプリント配線基板１は、バックライトユニットの後ろ側に設けられる駆動回路基板（ＴＣＯＮ基板）１３に接続される。
本実施例の液晶表示モジュールのバックライトユニットは、金属板から成る枠状の中間フレーム６とリフレクタ（本発明の反射部材）３との間に、複数の冷陰極蛍光灯（ＣＦＬ）２、光学部材（拡散シート、レンズシート）７とが、図１に示す順序で、配置されて構成される。
なお、図１において、８，１１は冷陰極蛍光灯２の保持体、９は高圧側ケーブル・コネクタ、１０はゴムブッシュ、１２は低圧側コネクタ、１４は冷陰極蛍光灯２を駆動するインバータ回路基板、１５は低圧側ケーブル・コネクタである。
本実施例において、その内面が白色または銀色のリフレクタ３は、金属板、あるいは合成樹脂で構成され、下フレームを兼用する。
【００１３】
〈従来の直下型バックライトユニットの構成〉
図８は、従来の直下型バックライトユニットを採用する液晶表示モジュールの要部断面構造を示す断面図である。
なお、この図８は、冷陰極蛍光灯２の延長方向と直交する面で切断した断面構造を示す図であり、また、この図８において、２０は、リフレクタ３の下面に取り付けられた回路基板（駆動回路基板１３，インバータ回路基板１４）を保護するためのケーシングである。
図８に示すように、従来の直下型バックライトユニットでは、リフレクタ３は、その表面が平坦面から構成されている。
図９は、従来の直下型バックライトユニットにおける、冷陰極蛍光灯２から照射される照射光の光路を説明するための図である。
図９に示すように、冷陰極蛍光灯２から光学部材７側に照射された光は、光路５１により、光学部材７（より詳細には、拡散板）へ入射され、冷陰極蛍光灯２からリフレクタ３側に照射された光は、光路５２により、光学部材７へ入射される。
【００１４】
前記［発明が解決しようとする課題］の欄で述べたように、大画面のモニタ用液晶表示モジュールの薄型化のために、直下型バックライトを薄型化、即ち、光学部材７とリフレクタ３との間の距離（図９に示すＤ）が、各冷陰極蛍光灯２の中心部間の距離（Ｌ）に比べて十分小さくなると、各冷陰極蛍光灯２から照射される光で、光学部材７の各冷陰極蛍光灯間に位置する領域に入射される光量が減少し、液晶表示パネルの表面上の各冷陰極蛍光灯間の領域の輝度が、液晶表示パネルの表面上の各冷陰極蛍光灯２の直上部に位置する領域の輝度に比して小さくなり、液晶表示パネルの表示面に輝度ムラが生じるという問題点があった。
これを防止し、液晶表示パネルの表示面上の輝度の均一化を図るためには、例えば、図１０に示すような、光量調整用のライトカーテンを使用する必要があるが、ライトカーテンは、ピーク輝度を下げることで、輝度の均一化を図っているため、輝度の低下をもたらすという欠点があった。
この図１０に示すライトカーテンは、光学部材７の拡散板に、図１０に示すようなドットパターン２５を印刷したものである。
さらに、このライトカーテンでは、各冷陰極蛍光灯２の位置と、ライトカーテンを構成する各ドットパターンとの位置の合わせ精度等製造ばらつきにより輝度の均一化が不十分になるという欠点もあった。
【００１５】
〈本実施例の直下型バックライトユニットの特徴的構成〉
図２は、本実施例の直下型バックライトユニットを採用する液晶表示モジュールの要部断面構造を示す断面図である。
なお、この図２は、冷陰極蛍光灯２の延長方向と直交する面で切断した断面構造を示す図である。
図２に示すように、本実施例では、リフレクタ３の、冷陰極蛍光灯間に位置する領域に、複数の冷陰極蛍光灯側に突出し、かつ、複数の冷陰極蛍光灯２の延長方向に沿って設けられるとともに、複数の冷陰極蛍光灯２の延長方向と直交する面で切断したときの断面形状（以下、単に、断面形状という）が三角形形状の反射用の突起部３０が設けられる。
図３は、本実施例の直下型バックライトユニットにおける、冷陰極蛍光灯２から照射される照射光の光路を説明するための図である。
図３に示すように、本実施例でも、冷陰極蛍光灯２から光学部材７側に照射された光は、光学部材７（より詳細には、拡散板）へ入射されるが、冷陰極蛍光灯２からリフレクタ３側に照射された光の一部は、光路５３、および光路５４に示すように、リフレクタ３および突起部３０で反射されて光学部材７へ入射される。
【００１６】
そして、光路５３、および光路５４で光学部材７に入射される照射光は、光学部材７における、各冷陰極蛍光灯間の中心部より、突起部３０で反射される照射光を照射する自冷陰極蛍光灯側の領域（図３の矢印Ａに示す領域）に入射されるので、液晶表示パネルの全表面上の輝度を向上させることができる。
特に、液晶表示パネルの表面上の各冷陰極蛍光灯間の領域の輝度を向上させることができる。
したがって、大画面のモニタ用液晶表示モジュールの薄型化のために、直下型バックライトを薄型化、即ち、光学部材７とリフレクタ３との間の距離（図９に示すＤ）を、各冷陰極蛍光灯２の中心部間の距離（Ｌ）に比べて十分小さくしても、液晶表示パネルの表面上の各冷陰極蛍光灯間の領域の輝度を向上させて、液晶表示パネルの表面上の輝度を均一化することができるので、液晶表示パネルの表示面に輝度ムラが生じるのを防止することが可能となる。
なお、前述の効果をより効率的に発揮するためには、突起部３０の頂点（３１）が、リフレクタ３の隣接する冷陰極蛍光灯の中心部に位置するように配置することが好ましい。
【００１７】
以下、この突起部３０の高さ、突起部３０の頂点の角度（θ）について、図４を用いて説明する。
ここで、図４に示すように、冷陰極蛍光灯２ａの中心部と、冷陰極蛍光灯２ｂの中心部との間の距離をＬ、冷陰極蛍光灯（２ａ，２ｂ）の中心部とレフレクタ３との間の距離をｄ１、また、突起部３０の断面形状が、冷陰極蛍光灯側に突出する二辺の長さが同じである二等辺三角形とし、その頂点３１の角度をθ、突起部３０の高さをｈとする。
また、便宜上、冷陰極蛍光灯２ａの中心部をＯ、冷陰極蛍光灯２ａの中心部を通りリフレクタ３に垂直な垂線と、リフレクタ３との交点をＲ、冷陰極蛍光灯２ａから照射される照射光の光路５５が、レフレクタ３で反射する点をＰ、突起部３０の頂点３１をＱ、突起部３０の立ち上がり部をＳ、突起部３０の頂点３１を通りリフレクタ３に垂直な垂線Ｗとリフレクタ３の延長線との交点をＴ、光路５５で光学部材７に入射される点をＵとする。
【００１８】
前述した効果を奏するためには、冷陰極蛍光灯２ａから照射された照射光の中で、リフレクタ３のＰ点で一回反射された後、突起部３０の頂点３１で反射された照射光（図４の光路５５で示す照射光）が、光学部材７の、垂線Ｗの冷陰極蛍光灯２ｂ側（図４に示す矢印Ｂ側）に入射されるようにすればよい。
これを数式で表現すると、下記（１）式、（２）式のようになる。
［数１］
ｈ≧ｄ１    ・・・・・・・・・・・・・・・・・・・・・・・・・  （１）
［数２］
∠ＳＱＴ＋∠ＰＱＳ＋∠ＵＱＰ≧１８０°  ・・・・・・・・・・・  （２）
ここで、∠ＯＰＲをαとすると、∠ＳＱＴ、∠ＰＱＳ、および∠ＵＱＰは下記（３）式のように表される。
［数３］
∠ＳＱＴ＝θ／２
∠ＰＱＳ＝９０°−α−θ／２
∠ＵＱＰ＝θ＋２α  ・・・・・・・・・・・・・・・・・・・・・  （３）
【００１９】
したがって、前記（２）式は、下記（４）式のように表される。
［数４］
θ／２＋（９０°−α−θ／２）＋（θ＋２α）＝９０°＋θ＋α
θ＋α≧９０°
α≧９０°−θ  ・・・・・・・・・・・・・・・・・・・・・・・  （４）
また、αとｄ１、およびαとｈとの間には、下記（５）式に示す関係がある。
［数５］
ｔａｎα＝ｄ１／Ｌ１
ｔａｎα＝ｈ／Ｌ２  ・・・・・・・・・・・・・・・・・・・・・  （５）
ここで、Ｌ１は、Ｒ点とＰ点との間の距離、Ｌ２はＰ点とＴ点との間の距離であり、下記（６）式に示す関係がある。
［数６］
Ｌ１＋Ｌ２＝Ｌ／２  ・・・・・・・・・・・・・・・・・・・・・  （６）
【００２０】
（６）式に（５）式を代入して、下記（７）が得られる。
［数７］
（ｄ１＋ｈ）／ｔａｎα＝Ｌ／２
ｔａｎα＝２（ｄ１＋ｈ）／Ｌ  ・・・・・・・・・・・・・・・・  （７）
したがって、前記（４）式は、下記（８）式のように表される。
［数８］
ｔａｎ-1（２（ｈ＋ｄ１）／Ｌ）≧９０°−θ  ・・・・・・・・・  （８）
このように、前記（１）式、および（８）式を満足する場合に、前述した効果を得ることができる。
即ち、大画面のモニタ用液晶表示モジュールの薄型化のために、直下型バックライトを薄型化した場合に、液晶表示パネルの表面上の各冷陰極蛍光灯間の領域の輝度を向上させて、液晶表示パネルの表面上の輝度を均一化することができ、液晶表示パネルの表示面に輝度ムラが生じるのを防止することが可能となる。
【００２１】
本実施例において、計算により求められた液晶表示パネル上の輝度分布の一例を図５に示す。
この図５において、横軸（ｘ）は、隣接する冷陰極蛍光灯２の間の距離を表し、縦軸（ｙ）は、隣接する冷陰極蛍光灯２の間の各位置での、各冷陰極蛍光灯２の直上部の輝度を１とした場合の相対的な輝度を表す。
なお、この図５における計算モデルは以下の通りである。
（１）冷陰極蛍光灯２は２本。
（２）リフレクタ３および突起部３０での反射率は９０％、リフレクタ３および突起部３０での入射光の入射角と出射角とは同じ。
（３）冷陰極蛍光灯２の中心部間の距離（Ｌ）は、Ｌ＝２９．５ｍｍ。
（４）リフレクタ３と光学部材７との間の距離（Ｄ）は、Ｄ＝１２ｍｍ。
（５）冷陰極蛍光灯２の管径（ｒ１）は、ｒ１＝３ｍｍ。
（６）冷陰極蛍光灯２の中心部からリフレクタ３までの距離（ｄ１）は、ｄ１＝３．５ｍｍ。
（７）突起部３０は、断面形状が二等辺三角形形状で、高さ（ｈ）は、ｈ＝４ｍｍ、頂点３１の角度（θ）は、θ＝６４°。
（８）冷陰極蛍光灯２は、冷陰極蛍光灯２の表面からすべての方向に均一に発光する。
【００２２】
また、この図５において、（イ）が本実施例の液晶表示モジュールの輝度分布を示し、（ロ）が従来の液晶表示モジュールの輝度分布を示す。
図５から分かるように、（ロ）に示す従来の液晶表示モジュールの輝度分布に比して、（イ）に示す本実施例の液晶表示モジュールの輝度分布では、液晶表示パネルの全表面上の輝度が向上しており、特に、液晶表示パネルの表面上の各冷陰極蛍光灯間の領域の輝度が向上している。
なお、（イ）に示すグラフにおいて、輝度の明るい部分が発生しているが、これは、図３に示す光路５３と、光路５４とが、オーバーラップしている部分があるためであり、実際は、リフレクタ３および光学部材７の拡散板において、光の拡散が起きるためピークは小さくなる。
また、ｘ＝０およびｘ＝２９．５付近の輝度低下は、冷陰極蛍光灯２本で計算しているためであり、実際は、ｘ＝−１４．７５、およびｘ＝４４．２５にある突起部３０からの反射により、輝度の落ち込み（ディップ）小さくなる。
【００２３】
さらに、本発明は、リフレクタ３と光学部材７との間の距離（Ｄ）が、１０ｍｍ＜Ｄ＜２０ｍｍの場合に、特に効果がある。
リフレクタ３と光学部材７との間の距離（Ｄ）が、Ｄ＝２０ｍｍ以上の直下型バックライトでは、図６の（ハ）に示すように、ｘ＝７およびｘ＝２２付近に、輝度の落ち込み部分を有し、輝度向上ができない部分が発生する。
図６の（ニ）に示す従来の液晶表示モジュールの輝度分布と比して、平均輝度の向上は図れるものの、輝度が向上しない場所があることから効果は得られない。
また、リフレクタ３と光学部材７との間の距離（Ｄ）が、Ｄ＝１０ｍｍ以下の直下型バックライトでは、全領域で輝度は向上するもののピークの輝度が大きくなり、例えば、図１０に示すライトカーテンのように、輝度を均一化する手法が必要となる。
なお、図６は、計算により求められた液晶表示パネル上の輝度分布の他の例を示すグラフであり、この図６に示すグラフにおいて、計算モデルは、リフレクタ３と光学部材７との間の距離（Ｄ）を、Ｄ＝２０ｍｍとした以外は、図５に示す計算モデルと同じである。
【００２４】
以上説明したように、本実施例では、直下型バックライトユニットにおける、リフレクタ３の各冷陰極蛍光灯間の位置に、三角形形状の反射用の突起部３０を設け、各冷陰極蛍光灯からリフレクタ側に照射される光を、効率的に、光学部材７の各光源間の領域に入射するようにしたので、液晶表示パネルの表示面に生じる輝度ムラを従来の液晶表示装置よりも低減することが可能となる。
なお、直下型バックライトユニットにおける、リフレクタの各冷陰極蛍光灯間の位置に、三角形形状の中間反射体を設けることが、例えば、特開平６−２７４６３号公報（以下、文献という。）に記載されている。
しかしながら、この文献では、中間反射体の高さについては考察されているが、本実施例のように、突起部の頂点の角度（θ）については何ら考察されておらず、しかも、この文献に記載されているものは、液晶表示装置の薄型化（即ち、直下型バックライトユニットの薄型化）のために、中間反射体を設けるものではない。
【００２５】
なお、本実施例では、図７に示すように、突起部３０の頂点３１に丸みを付けるようにしてもよい。
この断面形状では、図３に示す光路５３と光路５４とが、オーバーラップしている部分のそれぞれの光量を左右へ分散することができ、ピークを小さくすることができる。
また、前述したように、本実施例において、輝度分布のピークを小さくするためにライトカーテンを用いてもよい。
本実施例では、液晶表示パネルの表示面上の輝度は全体として向上しており、さらに、液晶表示パネルの表示面上の輝度傾斜は、従来例よりも低くなっているので、輝度分布のピークを小さくするためにライトカーテンを用いても、液晶表示パネルの表示面上の輝度を向上させることが可能となる。
【００２６】
［実施例２］
〈本実施例の直下型バックライトユニットの特徴的構成〉
図１１は、本発明の実施例２のバックライトユニットのリフレクタ３の構成を示す図であり、同図（ａ）は、リフレクタ３を冷陰極蛍光灯側から見た正面平面図、同図（ｂ）は、同図（ａ）に示すＡ−Ａ'切断線で切断した断面を示す要部断面図、同図（ｃ）は、リフレクタ３を冷陰極蛍光灯２と反対の側から見た裏面平面図である。
図１２は、本実施例のリフレクタ３の突起部３０のみを取り出して示す図であり、同図（ａ）は、突起部３０を側面から見た側面図、同図（ｂ）は、突起部３０を冷陰極蛍光灯２と反対の側から見た裏面平面図、同図（ｃ）は、同図（ａ）に示すＢ方向からみた正面図である。
図１１，図１２に示すように、本実施例では、リフレクタ３に設けられた突起部３０の内側（突起部３０の冷陰極蛍光灯側に突出する二辺で挟まれた空間）に、リフレクタ３および突起部３０の変形を防止する複数の薄板３２が形成される。
【００２７】
図１３は、前述の実施例１のリフレクタ３の突起部３０のみを取り出して示す図であり、同図（ａ）は、突起部３０を側面から見た側面図、同図（ｂ）は、同図（ａ）に示すＢ方向からみた正面図である。
本出願の発明者らは、前述のリフレクタ３および突起部３０を、合成樹脂（例えば、ポリカーボネイトなど）の射出成形で形成する場合に、図１３に示すｃ方句、ｄ方向への変形が生じ、指定公差内の寸法が得られないという問題点を見いだした。
これは、突起部３０の中空・山形形状と厚さの違いによって、成形後の収縮度合いに差が生じて、変形を引き起こしているのが原因である。
即ち、突起部３０は、図１３に示すような中空の山形であり、射出成形により成形すると、冷却過程で、山形状のｂ側が先に固化し、ａ側が遅れて固化する。
そして、突起部３０の頂点３１の部分は、厚さが他の部分よりも厚いので、始めに突起部３０の頂点部の表面側から固化し、突起部３０の頂点部の内部は遅れて固化し、これにより、遅れて固化する突起部３０の頂点部の内部側が収縮し、図１３に示すｃ方向、およびｄ方向に変形を生じる。
【００２８】
前述したように、本実施例では、突起部３０の内側に、突起部３０の延長方向と直交する方向に、突起部３０の厚さ（ｔ）よりも、厚さ（ｔ１；ｔ１＜ｔ）が薄い複数の薄板３２を設けるようにしている。
これにより、突起部３０の冷却固化に時間差が生じたとしても、図１３に示すｃ方向の収縮変形に対する反力を働かせることができるので、収縮変形を抑止することができ、また、薄板３２を複数配置することにより、ｄ方向の変形に対する引っかかりの役目を果たすことができ、リフレクタ３のそり変形を抑止することができる。
なお、この複数の薄板３２は、例えば、２０ｍｍ間隔で設けられ、さらに、薄板自体が、強い収縮力を持たず、突起部３０の表面に、凹凸が生じないような厚さとされる。
【００２９】
これにより、本実施例では、リフレクタ３および突起部３０を、合成樹脂の射出成形で形成する場合に、変形を防止し、指定公差内の寸法で、リフレクタ３および突起部３０を形成することができる。
即ち、本実施例では、リフレクタ３の突起部３０の形状として、ほぼ設計値どおりの形状が得られるので、冷陰極蛍光灯２からの照射光の反射・拡散といった機能が設計値どおりに発揮でき、設計値どおりの組立性を得ることができる。
また、本実施例では、突起部３０の内側に設けた複数の薄板３２が、リブの役割を果たすので、リフレクタ３の強度を向上させることが可能である。
これは、リフレクタ３および突起部３０を、金属板で作成する場合も同様である。
【００３０】
［実施例３］
〈本実施例の直下型バックライトユニットの特徴的構成〉
図１４は、本発明の実施例のリフレクタ３の突起部３０のみを取り出して示す図であり、同図（ａ）は、突起部３０を側面から見た側面図、同図（ｂ）は、突起部３０を冷陰極蛍光灯２と反対の側から見た裏面平面図、同図（ｃ）は、同図（ａ）に示すＢ方向からみた正面図である。
図１４に示すように、本実施例では、リフレクタ３に設けられた突起部３０の頂点部分に内側に、リフレクタ３および突起部３０の変形を切り欠き３３が形成される。
ここで、この切り欠き３３の部分の厚さ（ｔ２）が、突起部３０の厚さ（ｔ；ｔ２＜ｔ）よりも薄くされる。
これにより、成形後の収縮方向が、図１３に示すｃ方向とは逆方向となるので、突起部３０の中空・山形形状と厚さの違いによって、成形後の収縮度合いに差が生じて、変形が起こるの防止することができる。
また、この切り欠き３３により、突起部３０の延長方向の強度も増加し、変形を抑止することができる。
【００３１】
このように、本実施例においても、リフレクタ３および突起部３０を、合成樹脂の射出成形で形成する場合に、変形を防止し、指定公差内の寸法で、リフレクタ３および突起部３０を形成することができる。
即ち、本実施例では、リフレクタ３の突起部３０の断面形状として、ほぼ設計値どおりの曲面形状が得られるので、冷陰極蛍光灯２からの照射光の反射・拡散といった機能が設計値どおりに発揮でき、設計値どおりの組立性を得ることができる。
また、本実施例では、突起部３０の頂点部分の内側に設けた切り欠き３３が、リブの役割を果たすので、リフレクタ３の強度を向上させることが可能である。
これは、リフレクタ３および突起部３０を、金属板で作成する場合も同様である。
【００３２】
なお、本実施例および前記実施例２では、突起部３０の断面形状は、冷陰極蛍光灯側に突出する二辺が直線ではなく、内側に湾曲する曲線で構成される三角形形状であるが、この突起部３０の断面形状は、前記実施例１のような、冷陰極蛍光灯側に突出する二辺が直線で構成される三角形形状であっても、前述したような効果を得ることが可能である。
さらに、本実施例および前記実施例２でも、前述した（１）式、および（８）式を満足するようにされており、前記実施例１で述べた効果が得られることはいうまでもない。
また、前記各実施例では、本発明をＴＦＴ方式の液晶表示モジュールに適用した実施例について主に説明したが、本発明はこれに限定されるものではなく、本発明は、ＳＴＮ方式の液晶表示モジュールにも適用可能であることはいうまでもない。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００３３】
【図１】本発明の実施例１のＴＦＴ方式の液晶表示モジュール（ＬＣＭ）の概略構成を示す分解斜視図である。
【図２】本発明の実施例１の直下型バックライトユニットを採用する液晶表示モジュールの要部断面構造を示す断面図である。
【図３】本発明の実施例１の直下型バックライトユニットにおける、冷陰極蛍光灯から照射される照射光の光路を説明するための図である。
【図４】本発明の実施例１の突起部の高さ、突起部の頂点の角度（θ）を説明するための図である。
【図５】計算により求められた液晶表示パネル上の輝度分布の一例を示すグラフである。
【図６】計算により求められた液晶表示パネル上の輝度分布の他の例を示すグラフである。
【図７】本発明の実施例１の突起部の変形例を示す図である。
【図８】従来の直下型バックライトユニットを採用する液晶表示モジュールの要部断面構造を示す断面図である。
【図９】従来の直下型バックライトユニットにおける、冷陰極蛍光灯２から照射される照射光の光路を説明するための図である。
【図１０】光量調整用のライトカーテンの一例を示す図である。
【図１１】本発明の実施例２のバックライトユニットのリフレクタの概略構成を示す図である。
【図１２】本発明の実施例２のリフレクタの突起部のみを取り出して示す図である。
【図１３】本発明の実施例１のリフレクタの突起部のみを取り出して示す図である。
【図１４】本発明の実施例３のリフレクタの突起部のみを取り出して示す図である。
【符号の説明】
【００３４】
１  フレキシブルプリント配線基板
２，２ａ，２ｂ  冷陰極蛍光灯
３  リフレクタ（下フレーム）
４  上フレーム
５  液晶表示パネル
６  中間フレーム
７  光学部材（拡散シート、レンズシート）
８，１１  冷陰極蛍光灯２の保持体
９  高圧側ケーブル・コネクタ
１０  ゴムブッシュ
１２  低圧側コネクタ
１３  駆動回路基板（ＴＣＯＮ基板）
１４  冷陰極蛍光灯２を駆動するインバータ回路基板
１５  低圧側ケーブル・コネクタ
２０  ケーシング
２５  ドットパターン
３０  突起部
３１  突起部の頂点
３２  薄板
３３  切り欠き
５１，５２，５３，５４，５５  光路。
【図１】
2006259750.tif 000003
【図２】
2006259750.tif 000004
【図３】
2006259750.tif 000005
【図４】
2006259750.tif 000006
【図５】
2006259750.tif 000007
【図６】
2006259750.tif 000008
【図７】
2006259750.tif 000009
【図８】
2006259750.tif 000010
【図９】
2006259750.tif 000011
【図１０】
2006259750.tif 000012
【図１１】
2006259750.tif 000013
【図１２】
2006259750.tif 000014
【図１３】
2006259750.tif 000015
【図１４】
2006259750.tif 000016